(57)【要約】      （修正有）【課題】水平鋼管に対して、吊持用の垂直鋼管を装着して吊持できるハンガー等の数を増やすことができるとともに、ハンガーに掛けられた衣料品等をデザイン別、サイズ別、色柄別などに区分けして陳列ができ、さらに正面から衣料品等の商品を比較可能に陳列をすることができる商品陳列装置を提供する。【解決手段】少なくとも２本の支柱１２に片持ち支持されたブラケット１３間に水平鋼管１４を架設し、この水平鋼管１４に屈曲型支持棒１５の垂直部１５ａを垂直鋼管装着固定具１６により着脱可能に装着する。【選択図】図４
0003121507.tif 000002
【実用新案登録請求の範囲】
【請求項１】
少なくとも２本の支柱に片持ち支持される長板状のブラケット間に架設された水平鋼管に着脱可能に装着する垂直鋼管装着固定具であって、
前記垂直鋼管装着固定具が、
前記屈曲型支持棒の垂直部外周を被うＵ字型部材と、
該Ｕ字型部材の両端部に形成されて、前記垂直鋼管を挿通可能なサイズの矩形状切欠と、
前記Ｕ字型部材の上部に架設された支軸を中心に回動操作可能に設けられ、先端に前記水平鋼管の側面に対向する垂下片と該垂下片の下端にＬ字状に連続するねじ孔設置片とを持つ平行棒抑圧部材と、
前記Ｕ字型部材の下部に架設された支軸を中心に回動操作可能に設けられ、前記垂下片に形成された係止孔の上縁に係止可能な屈曲片を先端に持つ作用部材と、
前記ねじ孔設置片にねじ込まれて、前記作用部材の屈曲片を介して前記水平鋼管に対する抑圧量を調整可能にする調整ねじとを備え、
前記調整ねじのねじ込み操作により前記作用部材の屈曲部に発生する加圧力を、前記垂下片の係止孔に作用させることで、前記水平鋼管を前記矩形状切欠内に抑圧状態で保持することを特徴とする垂直鋼管装着固定具。
【考案の詳細な説明】
【技術分野】
【０００１】
本考案は、複数の支柱に係止されたブラケット間の水平鋼管の任意箇所に、垂直鋼管を支持させる水平鋼管の垂直鋼管装着固定具に関する。
【背景技術】
【０００２】
一般に、上着、シャツといった衣料品を店舗等で陳列、販売したり、あるいは事務所のロッカールームや家庭のたんす等に収納したりする場合には、前記衣料品を形が崩れないようにハンガーに掛け、このハンガーを組み立てハンガー装置等の水平鋼管例えば吊持用平行パイプに吊り下げている。
【０００３】
この組み立てハンガー装置は、例えば一対の基台上に伸縮自在の支柱をそれぞれ有し、これらの支柱の上端部間に吊持用平行パイプを架設したものからなる。また、必要に応じて、前記基台の下面には複数のキャスターが取り付けられ、組み立てハンガー装置の全体が床上に移動自在となっているものもある（例えば、特許文献１参照）。
【０００４】
一方、衣料品の陳列や販売には、商品陳列装置が用いられる。この商品陳列装置は、例えば、一対の支柱のそれぞれに設けられた係止孔に、各ブラケットの基端を係止し、これらのブラケットの先端部付近に吊持用平行パイプを連結具を用いて、またはねじ止めによって固定したものとなっている。この商品陳列装置にあっては、吊持用平行パイプに対し、衣料品を掛けたハンガーのフックを引っ掛けて、衣料品を吊持状態にて展示することができる。
【特許文献１】特開平８−１９４６５号公報
【考案の開示】
【考案が解決しようとする課題】
【０００５】
しかしながら、店舗、事務所、家庭で使用される従来タイプの組み立てハンガー装置や商品陳列専用の商品陳列装置にあっては、支柱間に架設あるいはブラケット間に支持されたそれぞれ所定長の吊持用平行パイプに対してのみ、ハンガー（のフック）吊持が可能な構成であるため、この吊持用平行パイプに吊持できるハンガーの数、つまり陳列できる衣料品の数量に制約を伴う。
【０００６】
さらに、前記商品陳列装置を通路に設置した場合に、前記吊持用平行パイプによって陳列された衣料品を正面から観察することができず、いちいち吊持用平行パイプからハンガーを手で外し、衣料品の正面のデザインを確認する必要があり、この作業が面倒であった。
【０００７】
本考案は、前記のような従来の問題を解決するためになされたものであり、水平鋼管に対して、吊持用の垂直鋼管を装着して吊持できるハンガー等の数を増やすことができるとともに、ハンガーに掛けられた衣料品等をデザイン別、サイズ別、色柄別などに区分けして陳列ができ、さらに正面から衣料品等の商品を比較可能に陳列をすることができる商品陳列装置を提供することを目的とする。
【課題を解決するための手段】
【０００８】
前記目的達成のために、本考案は、少なくとも２本の支柱に片持ち支持される長板状のブラケット間に架設された水平鋼管に着脱可能に装着する垂直鋼管装着固定具であって、前記垂直鋼管装着固定具が、前記屈曲型支持棒の垂直部外周を被うＵ字型部材と、該Ｕ字型部材の両端部に形成されて、前記水平鋼管を挿通可能なサイズの矩形状切欠と、前記Ｕ字型部材の上部に架設された支軸を中心に回動操作可能に設けられ、先端に前記水平鋼管の側面に対向する垂下片と該垂下片の下端にＬ字状に連続するねじ孔設置片とを持つ平行棒抑圧部材と、前記Ｕ字型部材の下部に架設された支軸を中心に回動操作可能に設けられ、前記垂下片に形成された係止孔の上縁に係止可能な屈曲片を先端に持つ作用部材と、前記ねじ孔設置片にねじ込まれて、前記作用部材の屈曲片を介して前記水平鋼管に対する抑圧量を調整可能にする調整ねじとを備え、前記調整ねじのねじ込み操作により前記作用部材の屈曲部に発生する加圧力を、前記垂下片の係止孔に作用させることで、前記水平鋼管を前記矩形状切欠内に抑圧状態で保持することを特徴とする。
【０００９】
この構成により、水平鋼管に対する屈曲型支持棒の装着個数に応じてハンガーの係止数、つまり衣料品などの陳列個数を大幅に増やすことができるとともに、形、サイズ、色などデザインごとに仕分けられた商品の陳列を可能にし、以って顧客が正面から各商品を容易に観察および選択できる状態にて行うことができる。
【００１０】
また、屈曲型支持棒の垂直部と一体の垂直鋼管装着固定具に形成された矩形状切欠に水平鋼管を挿通した後、調整ねじをねじ込むことにより、その屈曲型支持棒の垂直部に対し、作用部材が平行棒抑圧部材を押圧し、これによって垂直鋼管を前記矩形状切欠内に簡単かつ迅速に固定することができる。
【００１１】
このとき、水平鋼管に対しては、複数本の屈曲型支持棒の取り付けが可能であり、屈曲型支持棒の水平部や傾斜部は水平鋼管に対して直行する方向に延出されるため、全体として、水平部や傾斜部の１本に吊持可能なハンガー数に対し、屈曲型支持棒の本数を掛けた数のハンガーの吊持が可能になり、商品の陳列数を大幅に増やすことができる。従って、顧客がより多くの商品の中から必要とするものを選択することができる。
【考案の効果】
【００１２】
本考案は、垂直鋼管装着固定具を用いて、水平鋼管に対し屈曲型支持棒の垂直部を着脱可能に装着し、前記屈曲型支持棒の水平部や傾斜部に、ハンガーのフックを係止可能としたことにより、屈曲型支持棒の前記装着個数分、ハンガーの係止数つまり衣料品などの陳列個数を大幅に増やすことができるとともに、形、サイズ、色など、デザインごとに仕分けられた商品の陳列を、顧客が正面から観察できる状態にて行うことができる。
【考案を実施するための最良の形態】
【００１３】
以下に、本考案に係る垂直鋼管装着固定具を商品陳列装置の図面を参照して説明する。
図１は、商品陳列装置の斜視図である。同図において、この商品陳列装置１１は、一対の支柱１２と、これらの支柱１２に片持ち支持されたブラケット１３と、これらのブラケット１３の先端部に縣架された水平鋼管１４と、を有する。  
また、には、複数本（ここでは、２本）の屈曲型支持棒１５が、この屈曲型支持棒１５に一体の垂直鋼管装着固定具１６によって着脱可能に取り付けられている。
【００１４】
前記各支柱１２の前部（前面）の、互いに対向する高さ位置には、複数の長形の係止孔１２ａが穿設されている。これらの支柱１２は、アルミや鉄などの金属材料から角筒状に作られている。また、前記ブラケット１３には、基端に周知のフック形状部（図示しない）が設けられ、このフック形状部が前記支柱１２の係止孔１２ａ内に挿入されている。
【００１５】
この挿入により、係止孔１２ａの下縁に前記フック形状部が係止され、従って、ブラケット１３は支柱１２に対し水平に支持される。これらのブラケット１３は、各支柱１２の互いに同一高さ位置にある係止孔１２ａに、それぞれ簡単、迅速に装着可能である。
【００１６】
前記ブラケット１３は、先端部に、前記水平鋼管１４を挿入状態で支持するための矩形状支持孔１３ａを持ち、この矩形状支持孔１３ａの近傍には、この矩形状支持孔１３ａにおける水平鋼管１４の支持状態を固定するための平行棒固定部材１９などが設けられている。
【００１７】
前記屈曲型支持棒１５は、例えば丸鋼棒や角鋼棒（または丸管や角管）をＬ字状などに屈曲したものからなり、垂直部１５ａおよび水平部１５ｂを一体に有する。この垂直部１５ａ下部の外周面側には、図２乃至図６に示すように、前記垂直鋼管装着固定具１６を構成するＵ字型部材１８の円弧部が溶接により固着されている。  
なお、このＵ字型部材１８の円弧部と垂直部１５ａの下部とは必ずしも溶接などにより一体化されている必要はなく、個別部品であってもよい。また、垂直部１５ａが角鋼棒や角管である場合には、Ｕ字型部材１８はこの形状に倣った角型の略Ｕ字状に屈曲された形態をなす。
【００１８】
このＵ字型部材１８の対向片には、図２に示すように、互いに対称形状を成す矩形状切欠１７が形成されている。これらの矩形状切欠１７は、前記Ｕ字型部分とは反対側に向かって開放されており、この矩形状切欠１７開放部の上部には、水平鋼管１４の上方の角部を係止させるための係止突片２０が、垂下するように突設されている。  
なお、矩形状切欠１７は、前記水平鋼管１４を挿通しうる形状であって、上縁および下縁の間隔は、水平鋼管１４の上下方向のサイズ（厚み）より幾分大き目である。
【００１９】
前記Ｕ字型部材１８の各対向片の上部および下部には、それぞれ支軸２１、２２が水平方向に架設されている。これらのうち、上部の支軸２１には、板材からなる平行棒抑圧部材２３の一端が回動操作可能に軸支されて、図示のように垂下されている。
【００２０】
この平行棒抑圧部材２３は、傾斜片２３ａ、垂下片２３ｂおよびこの垂下片２３ｂに対してＬ字状に屈曲するねじ孔設置片２３ｃとからなる。なお、垂下片２３ｂは、前記矩形状切欠１７に挿通される水平鋼管１４の側面に密接可能な平面と寸法を持つ。
【００２１】
前記垂下片２３ｂの下部には、後述の作用部材２６の屈曲片２６ａを係止させるための係止孔２４が形成されている。また、前記ねじ孔設置片２３ｃには、これの下部からねじ込み可能な調整ねじ２５がねじ込まれている。
【００２２】
下部の支軸２２には、板材からなる作用部材２６の一端が回動操作可能に軸支されている。この作用部材２６の他端は僅か上方に「く」の字状に折り曲げられて前記屈曲片２６ａとなっている。この屈曲片２６ａは、垂下片２３ｂに形成された前記係止孔２４に挿通されて、この係止孔２４の上縁に係止可能とされている。このとき、この作用部材２６は、略水平状態になっている。
【００２３】
この作用部材２６の背面は、前記ねじ孔設置片２３ｃにねじ込まれた調整ねじ２５の先端に支持されている。この作用部材２６の背面には、調整ねじ２５のねじ込みの過程でねじ先が嵌合し、作用部材２６による平行棒抑圧部材２３の抑圧を確実にするための、ねじ先嵌合孔２７が形成されている。
【００２４】
このような構成になる商品陳列装置では、これの組み立て時に、まず、一対の支柱１２にブラケット１３の基端を係止させる。さらに、これらのブラケット１３の先端部に設けた矩形状切欠１７に水平鋼管１４の両端を挿入して支持させる。また、ブラケット１３に設けられた平行棒固定部材１９により、その水平鋼管１４の支持状態を固定する。
【００２５】
次に、前記屈曲型支持棒１５を一体に有する前記垂直鋼管装着固定具１６を複数組用意し、これらの垂直鋼管装着固定具１６のＵ字型部材１８に形成された矩形の矩形状切欠１７を、水平鋼管１４の複数箇所に嵌合する。
【００２６】
この嵌合作業には、予め調整ねじ２５による作用部材２６を介しての平行棒抑圧部材２３の抑圧を解除しておき、支軸２１を中心に反時計方向に回動させておく。また、作用部材２６を、支軸２６を中心に時計方向に回動させておく。
【００２７】
これにより、平行棒抑圧部材２３および作用部材２６が矩形状切欠１７の領域から隠れて、矩形状切欠１７の開放部が大きく開かれる。このため、その開放部から矩形状切欠１７内への水平鋼管１４の挿入または嵌合が可能になる。
【００２８】
こうして、矩形状切欠１７に水平鋼管１４を挿入した後は、平行棒抑圧部材２３を、支軸２１を中心に時計方向に回動して、垂下片２３ｂを垂下状態にし、水平鋼管１４の一側面に当接させる。この操作に平行して、平行棒抑圧部材２３に形成されている係止孔２４に対し、支軸２２を中心として反時計方向に回動した作用部材２６の屈曲片２６ａを挿通させる。この状態は、図４に示す通りである。
【００２９】
続いて、ねじ孔設置片２３ｃに螺合されている調整ねじ２５をねじ込んでいき、この調整ねじ２５の上端と作用部材２６の下面に徐々に強く押し当てていく。このため、作用部材２６の屈曲片２６ａの一傾斜上面が前記係止孔２４の上縁を強く押し上げることとなる。
【００３０】
この屈曲片２６ａによる係止孔２４上縁の押上げ力は、支軸２１を中心とする前記垂下片２３ｂの回動力に変換される。このため、垂下片２３ｂと前記屈曲型支持棒１５ａとの間に水平鋼管１４をしっかりと挟圧保持する。すなわち、水平鋼管１４に対して、垂直鋼管装着固定具１６が簡単かつ確実に装着される。
【００３１】
また、このとき、平行棒抑圧部材２３の垂下片２３ｂが水平鋼管１４の側面とは大きな接触面で接触しているため、前記抑圧保持力が十分に大きくなる。従って、平行棒抑圧部材２３の水平鋼管１４に対するガタや位置ずれの発生を確実に防止することができる。
【００３２】
なお、水平鋼管１４に対する垂直鋼管装着固定具１６の分離は、前記調整ねじ２５を緩めて、作用部材２６および平行棒抑圧部材２３を前記とは逆の方向に操作することにより、迅速、容易に行うことができる。
【００３３】
この結果、水平鋼管１４には複数の屈曲型支持棒１５を取り付けることができ、これらの屈曲型支持棒１５のそれぞれに対し、衣料品等を掛けた複数のハンガーの吊持が可能になる。このため、水平鋼管１４の一本当りのハンガーの吊持数を、大幅に増やすことができる。  
また、ハンガーに掛けられた衣料品は、すべて正面に向き、顧客は多数の中から特定のデザインの衣料品を選択し易くなる。
【００３４】
なお、前記実施形態では、屈曲型支持棒１５をＬ字型とした場合について述べたが、図７に示すように、垂直部１５ａに対し傾斜部１５ｃを持つように構成することもできる。
また、前記屈曲支持棒１５を、図８に示すような角鋼棒（または角管）からなる屈曲支持棒１５Ａとしてもよい。この場合には、この形状に倣った角形の略Ｕ字状に屈曲したＵ字型部材１８Ａが用いられる。
【００３５】
以上のように、本考案の実施形態にあっては、少なくとも２本の支柱１２に片持ち支持される長板状のブラケット１３と、これらの各ブラケット１３間に架設された水平鋼管１４と、該水平鋼管１４に対し屈曲型支持棒１５の垂直部１５ａを着脱可能に装着する、該垂直部と一体の垂直鋼管装着固定具１６と、を備え、前記屈曲型支持棒１５の水平部１５ｂまたは傾斜部１５ｃを商品の陳列に利用する構成としたことにより、水平鋼管１４に対する屈曲型支持棒１５の装着個数に応じてハンガーの係止数、つまり衣料品などの陳列個数を大幅に増やすことができるとともに、形、サイズ、色などデザインごとに仕分けられた商品の陳列を、顧客が正面から観察できる状態にて行うことができる。
【産業上の利用可能性】
【００３６】
本考案の衣料品陳列装置は、１本の水平鋼管を用いて吊持ちできる商品の陳列数を増やすことができるとともに、ハンガー等に掛けられた商品をデザイン別に分け、正面に向けて多数陳列することができるという効果を有し、複数のブラケット間に支持された水平鋼管に対し屈曲型支持棒を取り付ける衣料品陳列装置等に有用である。
【図面の簡単な説明】
【００３７】
【図１】本考案の実施形態による衣料品陳列装置の概略を示す斜視図である。
【図２】図１における垂直鋼管装着固定具のＵ字型部材のみを示す斜視図である。
【図３】図１における水平鋼管に対する垂直鋼管装着固定具の装着状態を示す背面図である。
【図４】図１における水平鋼管に対する垂直鋼管装着固定具の装着状態を一部縦断して示す側面図である。
【図５】図１における水平鋼管に対する垂直鋼管装着固定具の装着状態を示す正面図である。
【図６】図１における水平鋼管に対する垂直鋼管装着固定具の装着状態を示す平面図である。
【図７】本考案における屈曲型支持棒の他の例を示す斜視図である。
【図８】本考案における屈曲型支持棒のさらに他の例を示す斜視図である。
【符号の説明】
【００３８】
１１…商品陳列装置、１２…支柱、１３…ブラケット、１４…水平鋼管、１５…屈曲型支持棒、１５ａ…垂直部、１５ｂ…水平部、１６…垂直鋼管装着固定具、１７…矩形状切欠、１８…Ｕ字型部材、１９…平行棒固定部材、２１，２２…支軸、２３…平行棒抑圧部材、２３ｂ…垂下片、２３ｃ…ねじ孔設置片、２４…係止孔、２５…調整ねじ、２６…作用部材、２６ａ…屈曲片
【図１】
0003121507.tif 000003
【図２】
0003121507.tif 000004
【図３】
0003121507.tif 000005
【図４】
0003121507.tif 000006
【図５】
0003121507.tif 000007
【図６】
0003121507.tif 000008
【図７】
0003121507.tif 000009
【図８】
0003121507.tif 000010